(57)【要約】      （修正有）【課題】結露による弊害を防止しつつ簡便にして効果的に冷却できる冷熱マットを提供する。【解決手段】扁平な袋体に含水ゲルを充填密封した扁平な形状を有する保冷部材２と、内部に保冷部材２を収容し得る収納室３を有する扁平な形状を有する柔軟なカバー４と、を備え、保冷部材２は、保冷パック２ａが接続シートの長手方向に複数個、接続シートを介して接続されたものであり、カバー４は、表面シート４ａと、裏面シート４ｂとを備え、カバー４の裏面シート４ｂの中央部に収容室３と直交する方向に線状開口部５を備え、かつ、収容室３が線状開口部５の両側に形成され、表面シート４ａの裏面の線状開口部５に対応する位置に第１面ファスナー６を備える一方、接続シートの中央領域の片面に第２面ファスナー７を備え、第１面ファスナー６と第２面ファスナー７とが着脱自在に構成される。【選択図】図３
0003148888.tif 000002
【実用新案登録請求の範囲】
【請求項１】
扁平な袋体に含水ゲルを充填密封した扁平な形状を有する保冷部材と、内部に前記保冷部材を収容し得る収納室を有する扁平な形状を有する柔軟なカバーと、を備えた冷熱マットにおいて、
前記保冷部材は、保冷パックが接続シートを介して該接続シートの長手方向に複数個、接続されたものであり、
前記カバ−が、表面シートと、裏面シートとを備え、
前記カバーの裏面シートの中央部に前記収容室と直交する方向に線状開口部を備え、かつ、前記収容室が前記線状開口部の両側に形成され、
前記表面シートの裏面の前記線状開口部に対応する位置に第１面ファスナーを備える一方、前記接続シートの中央領域の片面に第２面ファスナーを備え、前記第１面ファスナーと前記第２面ファスナーとが着脱自在に構成されたことを特徴とする冷熱マット。
【考案の詳細な説明】
【技術分野】
【０００１】
本考案は、冷媒が封入された保冷パックを内部に収納した冷熱マットに関するものである。
【背景技術】
【０００２】
保冷パックは、従来から発熱時や、熱を帯びた患部を冷やすのに用いられており、特許文献１〜５に記載の考案が提案されている。
【０００３】
特許文献１の発明は、ゲルパッドを寝具にファスナーの開閉によって脱着可能に被包する寝具構造である。
【０００４】
特許文献２の発明は、保冷パックに含水ゲルが充填密封されており、使用前に冷凍庫による凍結の必要がなく、保冷パック自体の柔軟性が失われることがなく、ファスナーの開閉により保冷パックをカバーに収容する冷感マットである。
【０００５】
特許文献３の考案は、冷却袋がポケットに収容され面ファスナーでポケットを閉じる保温保冷具である。
【０００６】
特許文献４の発明は、冷熱ゲルシートが単にポケットに挿脱される冷熱ゲル枕である。
【０００７】
【特許文献１】特開平６−２６９３４５号公報
【特許文献２】特開２００５-１４４０３６号公報
【特許文献３】実用新案登録第３０７４０６９号公報
【特許文献４】特開２００２-２３３４４２号公報
【考案の開示】
【考案が解決しようとする課題】
【０００８】
ところが、前記従来技術では保冷パックがカバーに固定されていないので、保冷パックが収容室内でずれるので、取り扱いのときに、偏りが生じ、位置を修復しなければならないおそれがある。また一方、寝具用には大きな保冷パックが必要であり、保冷パックの位置ずれ等を防止するため、保冷パックをカバー内部に縫い付けるなどにより固定しなければならない。そうなると、冷熱マットの内外の温度差などにより、内部結露や表面結露が生じ、マットの内部・外部にカビが生じたり、あるいは、カバーが変色・退色するが、保冷パックがカバーに固定されているため、洗濯をすることができず、使い捨てになるという致命的な問題がある。たとえ、カバーに防黴剤を用いたとしても効果は限定的である。
【０００９】
本考案は上記の問題を解決するためになされたものであり、その目的は、保冷パックの位置ずれを直す作業を不要にするとともに、結露によるカビ、カバーの黄変等の弊害を防止できる冷熱マットを提供することにある。
【課題を解決するための手段】
【００１０】
本考案の冷熱マットは、扁平な袋体に含水ゲルを充填密封した扁平な形状を有する保冷部材と、内部に前記保冷部材を収容し得る収納室を有する扁平な形状を有する柔軟なカバーと、を備えた冷熱マットにおいて、前記保冷部材は、保冷パックが接続シートを介して該接続シートの長手方向に複数個、接続されたものであり、前記カバ−が、表面シートと、裏面シートとを備え、前記カバーの裏面シートの中央部に前記収容室と直交する方向に線状開口部を備え、かつ、前記収容室が前記線状開口部の両側に形成され、前記表面シートの裏面の前記線状開口部に対応する位置に第１面ファスナーを備える一方、前記接続シートの中央領域の片面に第２面ファスナーを備え、前記第１面ファスナーと前記第２面ファスナーとが着脱自在に構成されたことを特徴とする冷熱マットである。
【００１１】
なお、当業者に自明な範囲で上記の本考案の構成要件を適宜調整しても構わない。
【考案の効果】
【００１２】
本考案の冷熱マットによれば、接続シートの中央部で簡単にカバーに保持できるので、保冷パックの重心の偏りによる位置ずれが生じにくくなる。また、結露により、カバーに水分がこもると、カビ、カバーの黄変等が生じやすくなるのであるが、本考案によれば、保冷パックを取り外して、カバーを洗濯することができるので、結露による種々の弊害を適切に防止できる。
【考案を実施するための最良の形態】
【００１３】
本考案における好適な実施の形態について、添付図面を参照して説明する。なお、以下に説明する実施の形態は、実用新案登録請求の範囲に記載された本考案の内容を限定するものではない。
【００１４】
本考案の冷熱マット１は、図１乃至図３に示す通り、扁平な袋体に含水ゲルを充填密封した扁平な形状を有する保冷部材２と、内部に保冷部材２を収容し得る収納室３を有する扁平な形状を有する柔軟なカバー４と、を備えている。また、保冷部材２は、保冷パック２ａが長手方向に複数個、接続シート２ｂを介して接続されたものである。カバ−４が、表面シート４ａと、裏面シート４ｂとを備えている。カバー４の裏面シート４ｂの中央部に収容室３と直交する方向に線状開口部５を備え、かつ、収容室３が線状開口部５の両側に形成され、表面シート４ａの裏面の線状開口部５に対応する位置に第１面ファスナー６を備えている。一方、接続シート２ｂの中央領域の片面に第２面ファスナー７を備え、第１面ファスナー６と第２面ファスナー７とが着脱自在に構成されている。この第１面ファスナー６と第２面ファスナーは、いわゆるマジックテープ（登録商標）等と呼ばれるものである。
【００１５】
カバー４は、二枚の矩形状の織布を重ね合わせ、その縁辺に沿って縫い合わせ８が形成されている。裏面シート４ｂはメッシュ（たとえばハニカム形状など）の織布が好ましい。また、一辺、ここでは、長手方向の辺と、他の辺、ここでは短手方向の辺に沿って、縫い目９（たとえばキルティング）が形成されることにより、カバー４の内部が、５段の収容室３に区切られる。また、このカバー４の短手方向に形成された線状開口部５には、たとえば１条のファスナー１０が取り付けられ、その金具１０ａをスライドさせることによって、収容室３の開口を開閉できるようになっている。
【００１６】
図１に示す通り、カバー４の内部は、縫い合わせにより５室に区切られているが、これらの内部には、図２に示す保冷部材２が各段に１個ずつ、合計５個が収納される。保冷部材２は、保冷パック２ａを備えた扁平で略矩形状のもので、保冷パック２ａは含水ゲルを合成樹脂製袋内に充填密封したものである。この含水ゲルは、蓄冷剤として用いられるものであり、吸水性能が非常に高く、また圧力を加えた 状態でも保水力を維持する高吸水性ポリマー（たとえば、アクリルアミド架橋体、ポリアクリル酸ナトリウム等）が好ましく、また、特許文献３、４、特開２００４−３５０９９０号公報、特開２００５−１１８０５９号公報、特開２００４−２３１５６７号公報、ＷＯ２００７／１０８２３５公報、実用新案登録第３１４６２０４号公報、特開２００３−６３４号公報、特開２００２−３２５７８７号公報等に例示されているものでもよい。また、保冷パック２ａの合成樹脂製袋の材質は、柔軟性を有するものであればよく、好ましくは、ナイロン・ポリエチレンラミネートシート、エチレン・酢酸ビニル共重合体や、エチレン・メチルメタクリレート共重合体などが挙げられる。
【００１７】
上記の冷熱マット１を使用するときには、カバー４のファスナー１０の金具１０ａをスライドさせて収容室３を開口させ、各段の左右の収容室３に１個の保冷部材２の左右部分をそれぞれ挿入し（合計５個の保冷部材２を各段の収容室３に長手方向に挿入）、第１面ファスナー６と第２面ファスナー７とを接合させ、金具１０ａをスライドさせて収容室３の開口を閉じる。例えば、冷熱マット１をベッドの上面に載せ、その上に寝ると、背中から臀部の広範囲にかけてひんやりと冷たさを感じ、その冷感が持続する。冷感を感じなくなったとき、使用をやめ、冷熱マット１をしばらく放置する。または、保冷パック２ａを冷やす、あるいは、カバー４の洗濯等をするときには、ファスナー１０を開き、第１面ファスナー６と第２面ファスナー７とを剥離し、保冷パック２ａを保冷部材２ごと線状開口部５から取り出し、冷蔵庫や冷凍庫に入れ、あるいは、カバー４を洗濯し、再使用すればよい。
【００１８】
本考案に係る冷熱マット１を用いると、保冷パック２ａを抜き取り、カバーの洗濯、保冷パック２ａの冷却を容易に行うことができ、これにより結露による弊害を防止しつつ、広範囲に渡る領域を効果的に冷却できる。また、保冷部材２の中央部を面ファスナー６、７で保持できるので、保冷パック２ａの偏りや位置ずれがない。さらに、保冷部材２をカバー４の中央部で保持するという簡単な構成で、少ない保持箇所で、保冷パック２ａの脱落、ずれなどを効果的に防止できる。
【００１９】
なお、上記実施形態は、本考案の態様を実施するに当たって、本考案者により採用された技術の代表例である。これら技術は本考案を実施するための好ましい実施例の例示であるが限定されるわけではない。本技術分野に属する者は、本考案の開示に鑑みて、本考案の思想及び意図された要旨から離れることなく多数の改変・追加等が可能である。以下に変形例を記載する。
【００２０】
例えば、第１面ファスナー６，第２面ファスナー７の数、配置、形状、構造等は、実施形態に限らず、諸般の事情を考慮して、適宜、変更できる。また、カバー４の材質は、シート状で柔軟性のあるものであれば、綿、合成繊維、不織布や、合成樹脂フィルム、発泡シートなど、どのようなものであってもよく、また、その形状や、充填室の数、配置等は、諸般の事情を考慮して、適宜、変更できる。保冷パック２ａの形状や大きさも、保冷パックの中身の含水ゲルが容易に偏ってしまわないような大きさや形状の範囲で自由に変更できる。また、収容室３の数は６室以上でもよいし、収納室３の数も図示に限定されず適宜数を有するようにしてもよい。また少なくとも複数の収納室３に保冷部材２を収納させ、残りの一部の収納室３に保冷部材２を収納させないようにしてもよい。
【００２１】
また、収納室３の形成は、カバー４の中央部で、各保冷部材２を保持できるものであれば、どのようなものであってよく、収納室３同士が、一部で連通していても構わない。また、上記の実施形態では、収納室３の開口はファスナーによって閉鎖し得るようにしたが、他の係止手段、例えば、面状ファスナーやホック等で閉鎖するようにしてもよい。この場合、収納室３の開口側の端縁を折り返し、折り返すことによって重なって当接する領域を形成したり、該領域にそれぞれ係止し得る面状ファスナー等を設けてもよい。
【００２２】
上記実施形態において、ファスナー１０以外の構造を採用してもよい。例えば、諸般の事情を考慮して、その中央の線状開口部５の形状を工夫することなどにより、この冷熱マット１を持ち上げたときに、開口から保冷パック２ａが脱落しないようにする。また、その使用目的もベッドに限定されず、例えば、座布団、枕、敷布、背もたれ、ベビーカー、チャイルドシートのパッドなどに使用してもよい。さらに、使用目的は、人間に限定されず、例えば、犬や猫などのペット用のマットとして使用してもよい。また、複数の冷熱マット１を寝具上に敷くなどのように、複数の冷熱マット１を組み合わせて使用してもよい。
【産業上の利用可能性】
【００２３】
本考案に係る冷熱マットは、結露の弊害を効果的に防止しつつ、身体の所定領域を効率よく長時間に渡って冷却することができる。
【図面の簡単な説明】
【００２４】
【図１】（ａ）は本考案の表面から見た冷熱マットの斜視図、（ｂ）は同じく裏面から見た斜視図である。
【図２】（ａ）は本考案の保冷部材の表側から見た斜視図、（ｂ）は本考案の保冷部材の裏側から見た斜視図である。
【図３】（ａ）は図１（ａ）でのＡ−Ａ線断面図、（ｂ）は図１（ａ）でのＢ−Ｂ線断面図である。
【符号の説明】
【００２５】
１・・・冷熱マット  ２・・・保冷部材  ２ａ・・・保冷パック  ２ｂ・・・接続シート
３・・・収容室  ４・・・カバー  ４ａ・・・表側シート  ４ｂ・・・裏側シート
５・・・線状開口部  ６・・・第１面ファスナー  ７・・・第２面ファスナー
８・・・縫い合わせ  ９・・・縫い目  １０・・・ファスナー  １０ａ・・・金具
【図１】
0003148888.tif 000003
【図２】
0003148888.tif 000004
【図３】
0003148888.tif 000005